(57)【要約】  【課題】  大がかりな装置や刃物等を使用することなく、簡易で、しかも光ファイバ素線の表面を傷つけることがないテープ心線単心分離方法及びその工具を提供する。  【解決手段】  テープ心線単心分離方法は、テープ心線１の最外周被覆３の所定部分を接着剤４又は粘着性物質４ａによってベース部材５に接着し、接着後、最外周被覆３を剥離させる方向にテープ心線１及び／又はベース部材５を相対的に動かしてテープ心線１の最外周被覆３のみをベース部材５に接着させた状態で除去することにより光ファイバ素線１を露出させることを特徴とし、その工具１０は、テープ心線１の最外周被覆３の所定部分を接着剤４及び／又は粘着性物質４ａによって接着するためのベース部材５を備え、ベース部材５の表面は、テープ心線１の許容曲げ半径を超えない曲面によって形成されていることを特徴とする。【選択図】  図４
2010117539.tif 000002
【特許請求の範囲】
【請求項１】
光ファイバ素線の単心線を光軸に対して平行に複数並らべ、最外周被覆によって整列状態が保持されている光ファイバのテープ心線から前記光ファイバ素線を露出させるテープ心線の単心分離方法において、
前記テープ心線の最外周被覆の所定部分を接着剤又は粘着性物質によってベース部材に接着し、接着後、前記最外周被覆を剥離させる方向にテープ心線及び／又はベース部材を相対的に動かして当該テープ心線の最外周被覆のみを前記ベース部材に接着させた状態で除去することにより前記光ファイバ素線を露出させることを特徴とするテープ心線単心分離方法。
【請求項２】
光ファイバ素線の単心線を光軸に対して平行に複数並らべ、最外周被覆によって整列状態が保持されている光ファイバのテープ心線から前記光ファイバ素線を露出させるテープ心線の単心分離方法において、
前記テープ心線の最外周被覆の所定部分を接着剤によってベース部材に接着すると共に、接着剤によって接着された前記接着部分に隣接するようにして前記テープ心線の最外周被覆を粘着性物質によってベース部材に接着し、接着後、前記接着剤によって接着された前記最外周被覆を剥離させる方向にテープ心線及び／又はベース部材を相対的に動かして当該テープ心線の最外周被覆のみを前記ベース部材に接着させた状態で除去することにより前記光ファイバ素線を露出させることを特徴とするテープ心線単心分離方法。
【請求項３】
請求項１又は２に記載のテープ心線単心分離方法において、
前記ベース部材に接着された前記最外周被覆の剥離は、少なくとも前記テープ心線に生じる曲げが当該テープ心線の許容曲げ半径を超えない方向に動かして行うことを特徴とするテープ心線単心分離方法。
【請求項４】
請求項１又は２に記載のテープ心線単心分離方法において、
前記ベース部材の表面が前記テープ心線の許容曲げ半径を超えない曲面によって形成され、前記テープ心線の最外周被覆の所定部分を接着剤又は粘着性物質によって前記ベース部材の表面に接着し、接着後、前記最外周被覆を剥離させる方向にテープ心線及び／又はベース部材を相対的に動かして当該テープ心線の最外周被覆のみを前記ベース部材に接着させた状態で除去することにより前記光ファイバ素線を露出させることを特徴とするテープ心線単心分離方法。
【請求項５】
請求項１から４のいずれか１項に記載のテープ心線単心分離方法において、
前記接着剤が、瞬間接着剤であることを特徴とするテープ心線単心分離方法。
【請求項６】
請求項１から４のいずれか１項に記載のテープ心線単心分離方法において、
前記粘着性物質が、熱又は光によって硬化する硬化型樹脂、或いは粘着テープであることを特徴とするテープ心線単心分離方法。
【請求項７】
光ファイバ素線の単心線を光軸に対して平行に複数並らべ、最外周被覆によって整列状態が保持されている光ファイバのテープ心線から前記光ファイバ素線を露出させるテープ心線の単心分離用工具において、
前記テープ心線の最外周被覆の所定部分を接着剤及び／又は粘着性物質によって接着するためのベース部材を備え、
前記ベース部材の表面は、前記テープ心線の許容曲げ半径を超えない曲面によって形成されていることを特徴とするテープ心線単心分離用工具。
【請求項８】
光ファイバ素線の単心線を光軸に対して平行に複数並らべ、最外周被覆によって整列状態が保持されている光ファイバのテープ心線から前記光ファイバ素線を露出させるテープ心線の単心分離用工具において、
前記テープ心線の最外周被覆の所定部分を接着剤及び／又は粘着性物質によって接着するためのベース部材と、
前記ベース部に接着された前記最外周被覆を剥離させる方向にテープ心線を動かすように案内する案内部材と、
を備え、前記案内部材を動かすことにより前記テープ心線の最外周被覆のみを前記ベース部材に接着させた状態で除去し、それによって前記光ファイバ素線を露出させることを特徴とするテープ心線単心分離用工具。
【発明の詳細な説明】
【技術分野】
【０００１】
本発明は、合成樹脂などによって形成された最外周被覆によって束ねられた複数の光ファイバ素線からなるテープ心線から最外周被覆を剥がして光ファイバ素線を取り出すテープ心線単心分離方法及びその工具に関する。
【背景技術】
【０００２】
複数の光ファイバ素線を最外周被覆によって束ねたテープ心線から光ファイバ素線を分離するための従来の単心分離工具は、テープ心線最外周被覆に対し、何らかの傷を与え、その傷をきっかけに単心分離を行うものが主流である。例えば、特許文献１は、テープ心線の径の大きさに合わせたブレード（剥ぎ取り刃）によって最外周被覆を剥ぎ取るというファイバーリボンの被覆剥ぎ取り用ブレードを開示している。また、特許文献２は、テープ心線の表裏両面に摩擦印加部材の圧接ベルトを接触させ、それぞれの圧接ベルトを背反する方向に移動させて最外周被覆を剥離する光ファイバテープ心線の分離装置を開示している。
【０００３】
その他としては、テープ心線の任意の箇所で切断することなく単心分離可能な工具も存在する（例えば、特許文献３）が、分離しやすい構造を持つ特定テープ心線のみに使用が限られていた（例えば、特許文献４）。これらの場合も工具使用時のファイバ素線への負荷が大きいため、運用回線での使用は行われなかった。
【０００４】
【特許文献１】実用新案登録第２５８５１６４号公報
【特許文献２】特開平０７−３０６３２０号公報
【特許文献３】特許第３７１４４２３号公報
【特許文献４】特許第３６６４２５４号公報
【発明の開示】
【発明が解決しようとする課題】
【０００５】
上述の特許文献１のような工具にあっては、テープ心線の径の大きさに合わせたブレード（剥ぎ取り刃）を必要とし、径サイズの合わないブレードでは光ファイバ素線の表面を傷つけないようにするのが難しく、刃の突き出し量を規制する方法は細い光ファイバ素線の表面を着付けないように制御することは非常に困難であった。また、特許文献２はテープ心線の表裏両面に摩擦印加部材の圧接ベルトを接触させ、それぞれの圧接ベルトを背反する方向に移動させて最外周被覆を剥離する方法であるが、装置が大がかりになり、現場における剥離作業を簡易に行うことはできなかった。
【０００６】
また、引用文献３にあっては複数の線材からなる可撓性部材を光ファイバテープ心線に光ファイバの配列面の少なくとも一方側をから押し当て、光ファイバテープ心線の外被に傷を与えまたは外被を剥がしていたため光ファイバにかかる負荷が大きいという問題があった。さらに引用文献３は、特定形状を備えたテープ心線を対象とするものであり、特定形状のテープ心線以外のテープ心線から引落し作業を行う場合、テープ心線の任意の箇所で単心分離可能な工具が存在しないため、テープ心線の心数単位で一度テープ心線を切断し、切断端より所望の光ファイバ心線のみを引落さなければならなかった。また、ここで使用されなかった光ファイバ心線は当然その先に情報を送ることはないため、光ファイバの占有率が低下するという問題があった。
【０００７】
さらに、特定形状のテープ心線対応型の工具の場合、任意の箇所での単心分離は可能となるが、その構造上、分離時にファイバにかかる負荷は大きく、回線停止が引落し作業の条件となる。
【０００８】
そこで、本発明は、従来のような大がかりな装置や刃物等を使用することなく、簡易で、しかも光ファイバ素線の表面を傷つけることがないテープ心線単心分離方法を提供することを目的とする。
【０００９】
また、本発明は、テープ心線の種類の如何を問わず、テープ心線内の光ファイバ素線に損傷を与える恐れもなく、作業現場において簡易な操作で単心分離可能なテープ心線単心分離方法を提供することを目的とする。
【００１０】
さらに、本発明は、特に、長尺のテープ心線の端部のみならず、その中間の任意の個所でのテープ心線の単心分離を行うことが可能なテープ心線単心分離方法を提供することを目的とする。
【課題を解決するための手段】
【００１１】
上記課題を解決するために請求項１に記載の発明は、光ファイバ素線の単心線を光軸に対して平行に複数並らべ、最外周被覆によって整列状態が保持されている光ファイバのテープ心線から光ファイバ素線を露出させるテープ心線の単心分離方法において、テープ心線の最外周被覆の所定部分を接着剤又は粘着性物質によってベース部材に接着し、接着後、最外周被覆を剥離させる方向にテープ心線及び／又はベース部材を相対的に動かしてテープ心線の最外周被覆のみをベース部材に接着させた状態で除去することにより光ファイバ素線を露出させることを特徴とするテープ心線単心分離方法。
【００１２】
テープ心線の最外周被覆をベース部材に接着し、接着後、接着個所を剥離させる方向に力を加えてテープ心線の最外周被覆を引き剥がすが、テープ心線又はベース部材のいずれか一方を動かす場合と、両者を同時に動かす場合とがある。いずれにしても両者を相対的に引き剥がす方向に動かすことによりテープ心線の最外周被覆のみをベース部材に接着させた状態で除去する。
【００１３】
上記課題を解決するために請求項２に記載の発明は、光ファイバ素線の単心線を光軸に対して平行に複数並らべ、最外周被覆によって整列状態が保持されている光ファイバのテープ心線から光ファイバ素線を露出させるテープ心線の単心分離方法において、テープ心線の最外周被覆の所定部分を接着剤によってベース部材に接着すると共に、接着剤によって接着された接着部分に隣接するようにしてテープ心線の最外周被覆を粘着性物質によってベース部材に接着し、接着後、接着剤によって接着された最外周被覆を剥離させる方向にテープ心線及び／又はベース部材を相対的に動かしてテープ心線の最外周被覆のみをベース部材に接着させた状態で除去することにより光ファイバ素線を露出させることを特徴とする。
【００１４】
接着剤による接着部分に隣接するようにして粘着物質でテープ心線をベース部材に接着する。或いは、テープ心線の最外周被覆に接着剤を塗布し、接着剤の塗布箇所が粘着物質に隣接するようにしてベース部材に接着する。接着剤の硬化後、テープ心線を相対的に動かして最外周被覆をする。このとき、接着剤と粘着物質が隣接しているため粘着物質が被覆剥離を助けるような形となり、接着剤を塗布した部分及び粘着物質に接着した部分の長さにわたって最外周被覆の除去が可能となる。また、より少ない接着剤の量で、広範囲の被覆除去が可能となる。
【００１５】
上記課題を解決するために請求項３に記載の発明は、請求項１又は２に記載のテープ心線単心分離方法において、ベース部材に接着された最外周被覆の剥離は、少なくともテープ心線に生じる曲げがテープ心線の許容曲げ半径を超えない方向に動かして行うことを特徴とする。
【００１６】
接着剤又は粘着性物質によってテープ心線をベース部材に接着した後、テープ心線の動かす方向をテープ心線に生じる曲げがテープ心線の許容曲げ半径を超えない方向とすることで光ファイバ素線の断線やその原因となるような傷などの発生を防止する。
【００１７】
上記課題を解決するために請求項４に記載の発明は、請求項１又は２に記載のテープ心線単心分離方法において、ベース部材の表面がテープ心線の許容曲げ半径を超えない曲面によって形成され、テープ心線の最外周被覆の所定部分を接着剤又は粘着性物質によってベース部材の表面に接着し、接着後、最外周被覆を剥離させる方向にテープ心線及び／又はベース部材を相対的に動かしてテープ心線の最外周被覆のみをベース部材に接着させた状態で除去することにより光ファイバ素線を露出させることを特徴とする。
【００１８】
上記課題を解決するために請求項５に記載の発明は、請求項１から４のいずれか１項に記載のテープ心線単心分離方法において、接着剤が、瞬間接着剤であることを特徴とする。
【００１９】
上記課題を解決するために請求項６に記載の発明は、請求項１から４のいずれか１項に記載のテープ心線単心分離方法において、粘着性物質が、熱又は光によって硬化する硬化型樹脂、或いは粘着テープであることを特徴とする。
【００２０】
テープ心線の最外周被覆は、一般的に、合成樹脂によって形成され、また、光ファイバ素線は、石英系、多成分系、プラスチック系の光ファイバの外側に保護被覆としての着色層を設けて形成されている。そのため、テープ心線の最外周被覆をベース部材に接着する接着剤としては、例えば、瞬間接着剤が使用することができ、粘着性物質としては、例えば、紫外線硬化型樹脂や熱硬化性樹脂、或いは両面に粘着部が形成された粘着テープが使用することができる。
【００２１】
上記課題を解決するために請求項７に記載の発明は、光ファイバ素線の単心線を光軸に対して平行に複数並らべ、最外周被覆によって整列状態が保持されている光ファイバのテープ心線から光ファイバ素線を露出させるテープ心線の単心分離用工具において、テープ心線の最外周被覆の所定部分を接着剤及び／又は粘着性物質によって接着するためのベース部材を備え、ベース部材の表面は、テープ心線の許容曲げ半径を超えない曲面によって形成されていることを特徴とする。
【００２２】
上記課題を解決するために請求項８に記載の発明は、光ファイバ素線の単心線を光軸に対して平行に複数並らべ、最外周被覆によって整列状態が保持されている光ファイバのテープ心線から光ファイバ素線を露出させるテープ心線の単心分離用工具において、テープ心線の最外周被覆の所定部分を接着剤及び／又は粘着性物質によって接着するためのベース部材と、ベース部に接着された最外周被覆を剥離させる方向にテープ心線を動かすように案内する案内部材とを備え、案内部材を動かすことによりテープ心線の最外周被覆のみをベース部材に接着させた状態で除去し、それによって光ファイバ素線を露出させることを特徴とする。
【発明の効果】
【００２３】
本発明に係るテープ心線単心分離方法及びその工具によれば、屋外の電柱からの家屋への引き落とし作業において、該架線の途中で切断することなく、ベース部材に接着剤及び／又は粘着性物質でテープ心線を接着し、接着後、最外周被覆を剥離させる方向にテープ心線及び／又はベース部材を相対的に動かしてテープ心線の最外周被覆のみをベース部材に接着させた状態で除去することにより光ファイバ素線を露出させ、それによって簡易に単心分離を行うことができる。この場合、テープ心線の種類を問わずに、また、任意の箇所で単心分離が可能となる。これにより、光ファイバの引き落とし工事の際、作業効率の向上が望める他、任意に光ファイバ素線のみ引き落としが可能となるため光ファイバ占有率の向上を図ることができるという効果がある。
【００２４】
また、本発明に係るテープ心線単心分離方法及びその工具によれば、刃物などを使用しないので、テープ心線の単心分離の際に、最外周被覆内部の光ファイバ素線に傷をつけることなく簡易に任意の箇所での単心分離が可能となる。そのため、最外周被覆の除去作業中、除去後に光ファイバ素線に負荷はかからず、断線の原因となるような傷などを発生させないという効果がある。また、運用回線において回線を停止しない状態での引き落としが可能となる。
【発明を実施するための最良の形態】
【００２５】
以下、本発明に係るテープ心線単心分離方法及びその工具の一実施の形態について図面を参照して詳細に説明する。図１はテープ心線の断面図、図２は本発明に係るテープ心線単心分離方法の第一の実施形態を説明する断面図、図３はテープ心線をベース部材に接着した状態を示す斜視図、図４は最外周被覆の剥離状態を示す斜視図である。
【００２６】
はじめに、テープ心線１は、図１に示すように、複数の光ファイバ素線２の単心線を光軸に対して平行に複数（図１では４本）並らべ、それらを最外周被覆３によって一括被覆することで整列状態を保持した光ファイバの心線である。高さは約０．３〜０．５ｍｍで、幅は光ファイバ素線２の数にもよるが、４心テープ心線の場合で約１．１ｍｍ程度である。束ねられる光ファイバ素線２の数が増えるほど幅サイズは大きくなり扁平形状となる。最外周被覆３は、例えば、紫外線硬化樹脂、熱硬化性樹脂、熱可塑性樹脂などの一般的な合成樹脂によって形成されている。
【００２７】
さて、本発明に係るテープ心線単心分離方法の第一の実施形態として図２及び図３に示すのは、テープ心線１の最外周被覆３の所定箇所を接着剤４によってベース部材５に接着した状態を示し、図４はテープ心線１を上方に持ち上げてテープ心線１の最外周被覆３を引き剥がした状態を示している。
本実施形態のベース部材５は、平板状の部材であり、このベース部材５の表面にテープ心線１の所定箇所を接着剤及び／又は粘着性物質によって接着する。ベース部材５の材質は特に限定するものではないが、テープ心線１の最外周被覆３が紫外線硬化樹脂や合成樹脂などの有機化学系材料で形成されており、接着剤４がそのような素材と同等な接着力で接着することが望ましいことから、同様に合成樹脂などの有機化学系材料で形成するとよい。
【００２８】
接着剤４は、いわゆる瞬間接着剤を用いることが好ましい。短時間に固化し、迅速な作業が可能となるからである。接着剤４としては、例えば、エポキシ系、アクリル系、シアノアクリレート系など、各種の瞬間接着剤を使用することができる。また、接着剤４以外にも、粘着性物質、例えば、紫外線などの光によって硬化する光硬化樹脂、熱によって硬化する熱硬化樹脂などを用いることもできる。また、その他としては、粘着テープ、例えば表裏面に粘着物質を有する両面テープなどを用いることも可能である。
【００２９】
第一の実施形態のテープ心線単心分離方法は、まず、ベース部材５の表面に接着剤４を塗布し、テープ心線１から光ファイバ素線２を単心分離しようとする箇所をベース部材５に塗布された接着剤４に接着するか、或いは、剥離させるべきテープ心線１の最外周被覆３の部分に接着剤４を塗布し、塗布部をベース部材５の表面に接着する。そして、接着剤４が固化したらテープ心線１を持ち上げ、図３の矢印Ａ方向に動かしてテープ心線１の最外周被覆３のみをベース部材５に接着させた状態で除去することにより光ファイバ素線２を露出させる。これにより簡単に単心分離を行うことができる（図４参照）。
【００３０】
尚、接着剤４によってテープ心線１をベース部材５に接着した状態で、テープ心線１の接着部分の両側を固定し、ベース部材５を図３における下方向（矢印Ｂ方向）に動かすことによっても最外周被覆３を剥離することができる。また、テープ心線１又はベース部材５の一方側をだけ動かすだけでなく、図４に示すように、テープ心線１をＡ方向に動かすと同時にベース部材５をＢ方向に相対的に動かすことによって最外周被覆３を剥離させることも可能である。
【００３１】
次に、本発明に係るテープ心線単心分離方法の第二の実施形態として図５に示すのは、テープ心線１に生じる曲げが少なくともテープ心線の許容曲げ半径を超えないように動かして最外周被覆３を剥離する方法を示している。すなわち、光ファイバ素線２の有する許容曲げ半径を超えて曲げられると光ファイバ素線２が折れて断線してしまい、使用不能となってしまう。そこで、ベース部材５に接着剤４を塗布し、或いは最外周被覆３の所定箇所に接着剤４を塗布し、テープ心線１の所定箇所をベース部材５に接着した後、接着箇所のテープ心線１の上部に規制部材７を配置し、テープ心線１の曲げ方向が許容曲げ半径を超えないように規制しつつ最外周被覆３の剥離を行うものである。規制部材７は、円筒又は円柱形状をした部材であり、テープ心線１と接する曲面は少なくともテープ心線の許容曲げ半径を超えないような曲率とされている。これにより、ベース部材５に接着されたテープ心線１の最外周被覆３を剥離させる方向に動かしたときにテープ心線１の曲げ方向が規制部材７の曲面によって規制されるのでテープ心線１の許容曲げ半径を超えることがない。従って、テープ心線１に損傷を与えることなく最外周被覆３を除去することができる。
【００３２】
規制部材７は、その曲面が少なくともテープ心線の許容曲げ半径を超えないような曲率で形成されていればよく、特にその材質が限定されることはない。従って、金属、木材、合成樹脂など、適宜の材質で形成することができる。尚、その他については、第一の実施形態とほぼ同様であるのでここでの説明は省略する。
【００３３】
次に、本発明に係るテープ心線単心分離方法の第三の実施形態として図６に示すのは、第二の実施形態におけるテープ心線１の外周被覆３の所定箇所を接着剤４によって規制部材７に接着し、接着後、外周被覆３を図６のＣ方向に動かして外周被覆３の剥離を行うというものである。この場合、規制部材７が第二の実施形態におけるベース部材５に相当し、ベース部材５が第二の実施形態における規制部材７に相当することとなる。その他については第二の実施形態と同様なので説明は省略する。
【００３４】
次に、本発明に係るテープ心線単心分離方法の第四の実施形態として図７に示すのは、テープ心線１の最外周被覆３の所定部分を接着剤４によってベース部材５に接着すると共に、接着剤４によって接着された接着部分に隣接するようにしてテープ心線１の最外周被覆３を粘着性物質４ａによってベース部材５に接着し、接着後、テープ心線１及び／又はベース部材３を相対的に動かしてテープ心線１の最外周被覆３を剥離させるというものである。
【００３５】
本実施形態においては、以下のようにして最外周被覆３の剥離を行う。まず、ベース部材５の表面がテープ心線１の許容曲げ半径を超えないような曲率で形成された曲面とされており、そのベース部材５の表面の一部に接着剤４を塗布すると共に、接着剤４の塗布部分に隣接して粘着性物質４ａとして両面テープを貼付する、そして、接着剤４の塗布部及び粘着性物質４ａの貼付部にテープ心線１の最外周被覆３を接着する。接着後、テープ心線１を図７に示されたＤ方向、すなわち、テープ心線１がまっすぐに直線状となる方向に動かし、最外周被覆３を剥離する。接着剤４に接着された部分の最外周被覆３が破れると粘着性物質４ａの貼付部まで途切れることなく容易に剥ぎ取ることができる。また、最外周被覆３の剥ぎ取りに際してもテープ心線１の許容曲げ半径を超えることはないので断線の心配もない。
【００３６】
次に、本発明に係るテープ心線単心分離用工具１０について説明する。第一の実施形態として以下に説明するのは、上記したテープ心線単心分離方法の第四の実施形態において図７に示されている。すなわち、図７に示すテープ心線単心分離用工具１０は、テープ心線１の最外周被覆３の所定部分を接着剤４及び／又は粘着性物質４ａによって接着するためのベース部材５が角柱状の本体１１の端面に取り付けられて形成されている。ベース部材５は、テープ心線１の許容曲げ半径を超えない曲面を有する円柱を４分の１に分割して形成されており、テープ心線単心分離用工具１０はベース部材５の矩形状の切断面を本体１１に接着して形成されている。そして、ベース部材５の表面と連続する本体１１の表面はテープ心線１を載置固定するステージとなる。尚、使用方法は上述の通りであり、その説明は省略する。
【００３７】
次に、本発明に係るテープ心線単心分離工具の第二の実施形態として図８に示すのは、概略として、中央部に凹所１１ａが形成された断面凹状の本体１１と、凹所１１ａにスライド可能に挿入される案内部材１３と、案内部材１３の端部近傍に設けられたホルダ１５ａを収容するためのホルダスペース１５と、本体１１に可動可能に取り付けられた可動アーム１８によって案内部材１３上に接地可能に配設されたローラ部材１７と、備えて構成されている。
【００３８】
本体１１は、所定の厚みを有する平面が長方形の板状部材で、その略中央部分を長手方向に貫通するようにして凹所１１ａが形成されている、凹所１１ａには案内部材１３がスライド可能に挿入され、案内部材１３の挿入方向に沿って前後にスライドするようになっている。この案内部材１３上にテープ心線１が配置される。案内部材１３の端部近傍にはホルダ１５ａを収容するためのホルダスペース１５が設けられており、案内部材１３上にテープ心線１を位置させた後、ホルダスペース１５にホルダ１５ａを嵌合することによりテープ心線１が本体１１に固定される。
【００３９】
本体１１の一方側の側面には可動アーム１８を介してローラ部材１７が取り付けられており、ローラ部材１７は可動アーム１８の横倒及び復帰によって案内部材１３上に接地及び離反するように形成されている。尚、可動アーム１８には図示しない固定機構が設けられており、可動アーム１８を横倒してローラ部材１７を案内部材１３上に接地させた状態及び可動アーム１８を引き起こしてローラ部材１７を案内部材１３の表面から離反させた状態で固定できるようになっている。ローラ部材１７は、円形断面の中心が可動アーム１８に回転可能に支持されており、ローラ部材１７を横倒したときにその外周面１７ａが案内部材１３上に配置されるテープ心線１と接触するようになっている。本実施形態ではローラ部材１７の外周面１７ａがベース部材５となる。
【００４０】
上述した第二の実施形態におけるテープ心線単心分離用工具１０の使用方法について説明する。まず、可動アーム１８を引き起こした状態で本体１１の凹所１１ａに案内部材１３を挿入する。案内部材１３の上にテープ心線１を配置し、ホルダスペース１５の部分にホルダ１５ａを嵌合してテープ心線１を固定する。ローラ部材１７の外周面１７ａの所定部分に接着剤４又は粘着性物質４ａを塗布又は貼付し、可動アーム１８を横倒してローラ部材１７の外周面１７ａをテープ心線１の最外周被覆３に接地させる。このとき、接着剤４が剥ぎ取るべきテープ心線１の最外周被覆３部分と接するようにローラ部材１７を回転させたり、案内部材１３をスライドさせて位置合わせを行う。接着剤４が固化したら、案内部材１３を図８のＥ方向にスライドさせる。すると、着剤４によってローラ部材１７の外周面１７ａに接着された最外周被覆３部分が剥離される。
【００４１】
上述したテープ心線単心分離用工具１０では、テープ心線１の最外周被覆３の片面しか剥離することができない。本発明に係るテープ心線単心分離工具の第三の実施形態として図９に示すのは、テープ心線１の最外周被覆３の両面を剥離可能とするものである。図示されたテープ心線単心分離用工具１０は、概略として、２つのローラ部材１７、１７が、そのお互いの外周面１７ａ、１７ａ同士が接触及び離反するように可動するように本体１１に取り付けられて形成されている。２つのローラ部材１７、１７はそれぞれ支持部材１９、１９を介して本体１１に取り付けられており、各支持部材１９、１９は２つのローラ部材１７、１７の外周面１７ａ、１７ａ同士が互いに接触及び離反するように移動可能とされている。支持部材１９、１９は、本体１１に設けられた取付部１１ｂ、１１ｂに取り付けられており、支持部材１９、１９が移動できるように長溝状に形成されている。
【００４２】
上述した第三の実施形態におけるテープ心線単心分離用工具１０の使用方法について説明する。まず、２つのローラ部材１７、１７の外周面１７ａ、１７ａを離反させた状態で２つのローラ部材１７、１７の外周面１７ａ、１７ａに接着剤４又は粘着性物質４ａをそれぞれ塗布又は貼付する。そして、２つのローラ部材１７、１７の外周面１７ａ、１７ａの間にテープ心線１を位置させる。そして、接着剤４等が塗布等された箇所が剥離すべき最外周被覆３の処置位置に合致するようにローラ部材１７、１７を少しずつ回転させながら位置合わせを行う。位置が決まったらローラ部材１７、１７を移動させて外周面１７ａ、１７ａによってテープ心線１の最外周被覆３を挟み込む。接着剤４が固化したらテープ心線１を挟み込んだ状態で図９のＦ方向に引っ張る。すると、着剤４によって２つのローラ部材１７、１７のそれぞれの外周面１７ａ、１７ａに接着された最外周被覆３の両面が剥離される。
【００４３】
以上のように、本発明の好ましい実施例について詳述したが、本発明は係る特定の実施形態に限定されるものではなく、特許請求の範囲に記載された本発明の要旨の範囲内において、種々の変形・変更が可能であることはいうまでもない。
【図面の簡単な説明】
【００４４】
【図１】テープ心線の断面図である。
【図２】本発明に係るテープ心線単心分離方法の第一の実施形態を説明する断面図である。
【図３】テープ心線をベース部材に接着した状態を示す斜視図である。
【図４】最外周被覆の剥離状態を示す斜視図である。
【図５】本発明に係るテープ単心分離方法の第二の実施形態を示す斜視図である。
【図６】本発明に係るテープ単心分離方法の第三の実施形態を示す斜視図である。
【図７】本発明に係るテープ単心分離方法の第四の実施形態及び本発明に係るテープ単心分離用工具の第一の実施形態を示す斜視図である。
【図８】本発明に係るテープ単心分離用工具の第二の実施形態を示す斜視図である。
【図９】本発明に係るテープ単心分離用工具の第三の実施形態を示す斜視図である。
【符号の説明】
【００４５】
１      テープ心線
２      光ファイバ素線
３      最外周被覆
４      接着剤
５      ベース部材
７      規制部材
１０      テープ心線単心分離用工具
１１      本体
【図１】
2010117539.tif 000003
【図２】
2010117539.tif 000004
【図３】
2010117539.tif 000005
【図４】
2010117539.tif 000006
【図５】
2010117539.tif 000007
【図６】
2010117539.tif 000008
【図７】
2010117539.tif 000009
【図８】
2010117539.tif 000010
【図９】
2010117539.tif 000011